(57)【要約】【課題】視認性、操作性を確保しつつ携帯型端末のバッテリーの省電力化を行う。【解決手段】バッテリーの持続時間を延長させるバッテリー持続装置に、バッテリー１０１により電力を供給される表示装置の照光器１０４と、バッテリーの残量を検出し残量に応じた電流切替信号を出力する残量検出器１０２と、残量検出器からの電流切替信号でバッテリーの残量が少なくなったと判断した場合には照光器への電流を削減し、外部からの設定信号により削減した電流を一時的に元に戻す照光器コントローラ１０３とを備える。【選択図】図１
2006285651.tif 000002
【特許請求の範囲】
【請求項１】
バッテリーの持続時間を延長させるバッテリー持続装置において、
バッテリーにより電力を供給される表示装置の照光器と、
前記バッテリーの残量を検出し残量に応じた電流切替信号を出力する残量検出器と、
前記残量検出器からの電流切替信号で前記バッテリーの残量が少なくなったと判断した場合には前記照光器への電流を削減し、外部からの設定信号により削減した電流を一時的に元に戻す照光器コントローラとを備えることを特徴とするバッテリー持続装置。
【請求項２】
前記照光器コントローラは、前記バッテリーの残量が３０％未満になったと判断した場合、前記照光器に流している電流の５０％に削減させることを特徴とする、請求項１に記載のバッテリー持続装置。
【請求項３】
バッテリーの持続時間を延長させるバッテリー持続装置において、
バッテリーにより電力を供給される入力装置のキー照明器と、
バッテリーの残量を検出し残量に応じた電流切替信号を出力する残量検出器と、
前記残量検出器からの電流切替信号でバッテリーの残量が少なくなったと判断した場合には前記キー照明器への電流をゼロにし、外部からの設定信号によりゼロにした電流を一時的に元に戻すキー照明器コントローラとを備えることを特徴とするバッテリー持続装置。
【請求項４】
前記キー照明器コントローラは、前記バッテリーの残量が３０％未満になったと判断した場合、前記キー照明器に流している電流をゼロに削減させることを特徴とする、請求項３に記載のバッテリー持続装置。
【請求項５】
バッテリーの持続時間を延長させるバッテリー持続装置において、
バッテリーにより電力を供給される表示装置の照光器と、
バッテリーにより電力を供給される入力装置のキー照明器と、
バッテリーの残量を検出し残量に応じた電流切替信号を出力する残量検出器と、
前記残量検出器からの電流切替信号でバッテリーの残量が少なくなったと判断した場合には前記照光器への電流を削減し、外部からの設定信号により削減した電流を一時的に元に戻す照光器コントローラと、
前記残量検出器からの電流切替信号でバッテリーの残量が少なくなったと判断した場合には前記キー照明器への電流をゼロにし、外部からの設定信号によりゼロにした電流を一時的に元に戻すキー照明器コントローラとを備えることを特徴とするバッテリー持続装置。
【請求項６】
前記照光器コントローラは、前記バッテリーの残量が３０％未満になったと判断した場合、前記照光器に流している電流の５０％に削減させ、前記キー照明器コントローラは、前記バッテリーの残量が３０％未満になったと判断した場合、前記キー照明器に流している電流をゼロに削減させることを特徴とする、請求項５に記載のバッテリー持続装置。
【請求項７】
バッテリーの持続時間を延長させるバッテリー持続方法において、
バッテリーから表示装置の照光器に電力を供給する工程と、
前記バッテリーの残量を検出し残量に応じた電流切替信号を出力する工程と、
前記残量検出器からの電流切替信号で前記バッテリーの残量が少なくなったと判断した場合には前記照光器への電流を削減し、外部からの設定信号により削減した電流を一時的に元に戻す工程とを備えることを特徴とするバッテリー持続方法。
【請求項８】
バッテリーの持続時間を延長させるバッテリー持続方法において、
バッテリーから入力装置のキー照明器に電力を供給する工程と、
前記バッテリーの残量を検出し残量に応じた電流切替信号を出力する工程と、
前記残量検出器からの電流切替信号で前記バッテリーの残量が少なくなったと判断した場合には前記キー照明器への電流を削減し、外部からの設定信号により削減した電流を一時的に元に戻す工程とを備えることを特徴とするバッテリー持続方法。
【請求項９】
バッテリーの持続時間を延長させるバッテリー持続方法において、
バッテリーから表示装置の照光器に電力を供給する工程と、
バッテリーから入力装置のキー照明器に電力を供給する工程と、
前記バッテリーの残量を検出し残量に応じた電流切替信号を出力する工程と、
前記電流切替信号で前記バッテリーの残量が少なくなったと判断した場合には前記照光器への電流を削減し、外部からの設定信号により削減した電流を一時的に元に戻す工程と、
前記電流切替信号で前記バッテリーの残量が少なくなったと判断した場合には前記キー照明器への電流を削減し、外部からの設定信号により削減した電流を一時的に元に戻す工程とを備えることを特徴とするバッテリー持続方法。
【請求項１０】
バッテリーの持続時間を延長させるバッテリー持続をコンピュータで実行するプログラムにおいて、
バッテリーから入力装置の表示装置の照光器に電力を供給する処理を実行する手順と、
前記バッテリーの残量を検出し残量に応じた電流切替信号を出力する処理を実行する手順と、
前記残量検出器からの電流切替信号で前記バッテリーの残量が少なくなったと判断した場合には前記照光器への電流を削減し、外部からの設定信号により削減した電流を一時的に元に戻す処理を実行する手順とを備えることを特徴とするバッテリー持続をコンピュータで実行するプログラム。
【請求項１１】
バッテリーの持続時間を延長させるバッテリー持続をコンピュータで実行するプログラムにおいて、
バッテリーから入力装置のキー照明器に電力を供給する処理を実行する手順と、
前記バッテリーの残量を検出し残量に応じた電流切替信号を出力する処理を実行する手順と、
前記残量検出器からの電流切替信号で前記バッテリーの残量が少なくなったと判断した場合には前記キー照明器への電流を削減し、外部からの設定信号により削減した電流を一時的に元に戻す処理を実行する手順とを備えることを特徴とするバッテリー持続をコンピュータで実行するプログラム。
【請求項１２】
バッテリーの持続時間を延長させるバッテリー持続をコンピュータで実行するプログラムにおいて、
バッテリーから表示装置の照光器に電力を供給する処理を実行する手順と、
バッテリーから入力装置のキー照明器に電力を供給する処理を実行する手順と、
前記バッテリーの残量を検出し残量に応じた電流切替信号を出力する処理を実行する手順と、
前記電流切替信号で前記バッテリーの残量が少なくなったと判断した場合には前記照光器への電流を削減し、外部からの設定信号により削減した電流を一時的に元に戻す処理を実行する手順と、
前記電流切替信号で前記バッテリーの残量が少なくなったと判断した場合には前記キー照明器への電流を削減し、外部からの設定信号により削減した電流を一時的に元に戻す処理を実行する手順とを備えることを特徴とするバッテリー持続をコンピュータで実行するプログラム。
【請求項１３】
持続時間を延長するバッテリーを有する携帯型端末において、
バッテリーにより電力を供給される表示装置の照光器と、
前記バッテリーの残量を検出し残量に応じた電流切替信号を出力する残量検出器と、
前記残量検出器からの電流切替信号で前記バッテリーの残量が少なくなったと判断した場合には前記照光器への電流を削減し、外部からの設定信号により削減した電流を一時的に元に戻す照光器コントローラとを備えることを特徴とする携帯型端末。
【請求項１４】
持続時間を延長するバッテリーを有する携帯型端末において、
バッテリーにより電力を供給される入力装置のキー照明器と、
前記バッテリーの残量を検出し残量に応じた電流切替信号を出力する残量検出器と、
前記残量検出器からの電流切替信号で前記バッテリーの残量が少なくなったと判断した場合には前記キー照明器への電流を削減し、外部からの設定信号により削減した電流を一時的に元に戻す照光器コントローラとを備えることを特徴とする携帯型端末。
【請求項１５】
持続時間を延長するバッテリーを有する携帯型端末において、
バッテリーにより電力を供給される表示装置の照光器と、
バッテリーにより電力を供給される入力装置のキー照明器と、
前記バッテリーの残量を検出し残量に応じた電流切替信号を出力する残量検出器と、
前記残量検出器からの電流切替信号で前記バッテリーの残量が少なくなったと判断した場合には前記照光器への電流を削減し、外部からの設定信号により削減した電流を一時的に元に戻す照光器コントローラと、
前記残量検出器からの電流切替信号で前記バッテリーの残量が少なくなったと判断した場合には前記キー照明器への電流を削減し、外部からの設定信号により削減した電流を一時的に元に戻す照光器コントローラとを備えることを特徴とする携帯型端末。
【発明の詳細な説明】
【技術分野】
【０００１】
本発明は携帯型端末のバッテリーに関する。特に、本発明は、バッテリーの持続時間を延長させるバッテリー持続装置、方法、コンピュータで実行するプログラム及び携帯型端末に関する。
【背景技術】
【０００２】
携帯電話を含む携帯型端末は、バッテリーに充電した状態で持ち歩くなどして使用されるため、バッテリー残量が減少した場合でもすぐに充電することが困難な状況にある。
また、携帯型端末では使用者の好みのみにより表示装置の照光器の明るさ、入力装置のキー照明器の消灯・点灯を設定するため、バッテリーが減少した時でも消費する電流値は使用者が設定したもので一定となりバッテリーが速やかに終わってしまう。
【０００３】
このため、使用者がどうしても通話、通信で使用したい状況でバッテリー切れのため、使用できなくなるという第１の問題が発生する。
使用者の好みで表示装置の照光器の明るさ調整、入力装置のキー照明器の点灯・消灯を行うために照光器、キー照明器に流す電流値を変更することが可能となっているものもある。
【０００４】
しかし、バッテリー残量が減少した場合でも気がつかず好みに応じて設定された電流値を一定にしたままであれば、バッテリー残量表示により使用者へ注意を促すのみであるため、使用者に携帯型端末の不意の通話、通信で使用が求められても使用できない状況が発生するという第２の問題があった。
さらに、バッテリー残量が減少した場合、表示装置の照光器の場合、明るさ調整を例えば、一律に半減して調整すると、夜間には表示装置の視認に問題がなくても昼間には視認困難なこともあり、入力装置のキー照明器の場合、キー照明器を一律に消灯すると、昼間には操作上問題はないが、夜間には操作困難とこともあり、視認性、操作性上の第３の問題が発生する。
【０００５】
このため、視認性、操作性を確保しつつ携帯型端末に省電力化への貢献が必要となっており、携帯電話を代表とする携帯型端末の人口所有率が上昇する中で解決するべき課題となっている。
このような問題、課題に対して以下の従来技術がある。
図１３は従来の電源電圧を監視する制御装置を示すブロック図である。本図に示すように、制御装置２０７がバッテリー２０１の残量を検出し、その検出結果により出力装置２０８が使えるのか、あるいは、外部記憶装置２０９が使えるのか表示装置に表示し使用者に伝えるものであり、つまり、電子機器内部のいずれかの装置だけでも使用しようとするものである（例えば、特許文献１参照）。
【０００６】
しかしながら、上記特許文献１では、電子機器のバッテリー残量に応じて表示装置に今使用できる装置、あるいは今使用できない装置を表示することで使用者に現状のバッテリーではどの装置を使用できるかを知らせることを提案しているが、電子機器内部の使用できる装置を使用者に伝えるのみであり、バッテリー持続時間を延長する効果をもつものではない。
【０００７】
また、従来、バッテリー残量が多い場合には、操作性を重視できる一方、バッテリー残量が少ない場合には、携帯用電子機器の駆動時間の確保を重視して、消費電流を低減させることができるバッテリー搭載型携帯用電子機器を提供することを目的として、バッテリーにより供給される電流でＬＣＤや操作キーのバックライトを点灯および駆動するバッテリー搭載型携帯用電子機器において、バッテリー残量が多い場合には、操作性を重視して、携帯用電子機器におけるＬＣＤや操作キーのバックライトを点灯させて輝度を明るく保持しつつＬＣＤや操作キーを照明するように制御し、一方、バッテリー残量が少ない場合には、バッテリーから供給される電流を低減させるためにバックライトを消灯あるいは輝度を低下させてＬＣＤや操作キーの照明を暗くするように制御するものがある（例えば、特許文献２参照）。
【０００８】
しかしながら、上記特許文献２では、バッテリー残量が少ない場合には、バッテリーから供給される電流を低減させるためにバックライトを消灯あるいは輝度を低下させてＬＣＤや操作キーの照明を暗くするように制御するものがあるが、一律にＬＣＤや操作キーの照明を暗くして電流を低減するだけで、視認性、操作性を確保するものではない。
また、従来、電池を機能毎に有効に利用できる携帯電子機器を提供するため、各機能の重要度ということを要素とし、使用者本人の意思が直接入力設定できる構成を有し、重
要度から各機能部の動作を重要度の高低に応じて、電池の容量の使える領域を制限する方法で電池マネジメントを行うことにより、重要度の低い機能を何となく使っていたために重要度の高い機能が使えないといったことを防止し、また、重要度により電池の利用制限を機器側で設定することを基本としながら、消費電流による補正機能を装備し、補正機能は、機器内部で行い、更に、初期設定した重要度を実際に利用制限がかかってしまうより前に設定変更が行える機能を実現することにより利便性を向上し、更に、情報そのものに重要度を保持させることにより、機能に対する重要度ではなく情報に対応して電池マネジメントを実現する手段を得たものもある（例えば、特許文献３参照）。
しかしながら、上記特許文献３では、重要度により電池の利用制限を行うが、視認性、操作性を確保しつつ携帯型端末のバッテリーの省電力化を行うものではない。
【０００９】
【特許文献１】特開平７−２１０２７４号公報
【特許文献２】特開２００３−１９５９９０号公報
【特許文献３】特開２００３−３３０５７９号公報
【発明の開示】
【発明が解決しようとする課題】
【００１０】
したがって、本発明は上記問題点に鑑みて、視認性、操作性を確保しつつ携帯型端末のバッテリーの省電力化を行うバッテリー持続装置を提供することを目的とする。
【課題を解決するための手段】
【００１１】
本発明は前記問題点を解決するために、バッテリーの持続時間を延長させるバッテリー持続装置において、バッテリーにより電力を供給される表示装置の照光器と、前記バッテリーの残量を検出し残量に応じた電流切替信号を出力する残量検出器と、前記残量検出器からの電流切替信号で前記バッテリーの残量が少なくなったと判断した場合には前記照光器への電流を削減し、外部からの設定信号により削減した電流を一時的に元に戻す照光器コントローラとを備えることを特徴とするバッテリー持続装置を提供する。
【００１２】
さらに、前記照光器コントローラは、前記バッテリーの残量が３０％未満になったと判断した場合、前記照光器に流している電流の５０％に削減させる。
さらに、本発明は、バッテリーの持続時間を延長させるバッテリー持続装置において、バッテリーにより電力を供給される入力装置のキー照明器と、バッテリーの残量を検出し残量に応じた電流切替信号を出力する残量検出器と、前記残量検出器からの電流切替信号でバッテリーの残量が少なくなったと判断した場合には前記キー照明器への電流をゼロにし、外部からの設定信号によりゼロにした電流を一時的に元に戻すキー照明器コントローラとを備えることを特徴とするバッテリー持続装置を提供する。
【００１３】
さらに、前記キー照明器コントローラは、前記バッテリーの残量が３０％未満になったと判断した場合、前記キー照明器に流している電流をゼロに削減させる。
さらに、本発明は、バッテリーの持続時間を延長させるバッテリー持続装置において、バッテリーにより電力を供給される表示装置の照光器と、バッテリーにより電力を供給される入力装置のキー照明器と、バッテリーの残量を検出し残量に応じた電流切替信号を出力する残量検出器と、前記残量検出器からの電流切替信号でバッテリーの残量が少なくなったと判断した場合には前記照光器への電流を削減し、外部からの設定信号により削減した電流を一時的に元に戻す照光器コントローラと、前記残量検出器からの電流切替信号でバッテリーの残量が少なくなったと判断した場合には前記キー照明器への電流をゼロにし、外部からの設定信号によりゼロにした電流を一時的に元に戻すキー照明器コントローラとを備えることを特徴とするバッテリー持続装置を提供する。
【００１４】
さらに、前記照光器コントローラは、前記バッテリーの残量が３０％未満になったと判断した場合、前記照光器に流している電流の５０％に削減させ、前記キー照明器コントローラは、前記バッテリーの残量が３０％未満になったと判断した場合、前記キー照明器に流している電流をゼロに削減させる。
さらに、本発明は、バッテリーの持続時間を延長させるバッテリー持続方法において、バッテリーから表示装置の照光器に電力を供給する工程と、前記バッテリーの残量を検出し残量に応じた電流切替信号を出力する工程と、前記残量検出器からの電流切替信号で前記バッテリーの残量が少なくなったと判断した場合には前記照光器への電流を削減し、外部からの設定信号により削減した電流を一時的に元に戻す工程とを備えることを特徴とするバッテリー持続方法を提供する。
【００１５】
さらに、本発明は、バッテリーの持続時間を延長させるバッテリー持続方法において、バッテリーから入力装置のキー照明器に電力を供給する工程と、前記バッテリーの残量を検出し残量に応じた電流切替信号を出力する工程と、前記残量検出器からの電流切替信号で前記バッテリーの残量が少なくなったと判断した場合には前記キー照明器への電流を削減し、外部からの設定信号により削減した電流を一時的に元に戻す工程とを備えることを特徴とするバッテリー持続方法を提供する。
【００１６】
さらに、本発明は、バッテリーの持続時間を延長させるバッテリー持続方法において、バッテリーから表示装置の照光器に電力を供給する工程と、バッテリーから入力装置のキー照明器に電力を供給する工程と、前記バッテリーの残量を検出し残量に応じた電流切替信号を出力する工程と、前記電流切替信号で前記バッテリーの残量が少なくなったと判断した場合には前記照光器への電流を削減し、外部からの設定信号により削減した電流を一時的に元に戻す工程と、前記電流切替信号で前記バッテリーの残量が少なくなったと判断した場合には前記キー照明器への電流を削減し、外部からの設定信号により削減した電流を一時的に元に戻す工程とを備えることを特徴とするバッテリー持続方法を提供する。
【００１７】
さらに、本発明は、バッテリーの持続時間を延長させるバッテリー持続手順をコンピュータで実行するプログラムにおいて、バッテリーから入力装置の表示装置の照光器に電力を供給する処理を実行する手順と、前記バッテリーの残量を検出し残量に応じた電流切替信号を出力する処理を実行する手順と、前記残量検出器からの電流切替信号で前記バッテリーの残量が少なくなったと判断した場合には前記照光器への電流を削減し、外部からの設定信号により削減した電流を一時的に元に戻す処理を実行する手順とを備えることを特徴とするバッテリー持続手順をコンピュータで実行するプログラムを提供する。
【００１８】
さらに、本発明は、バッテリーの持続時間を延長させるバッテリー持続手順をコンピュータで実行するプログラムにおいて、バッテリーから入力装置のキー照明器に電力を供給する処理を実行する手順と、前記バッテリーの残量を検出し残量に応じた電流切替信号を出力する処理を実行する手順と、前記残量検出器からの電流切替信号で前記バッテリーの残量が少なくなったと判断した場合には前記キー照明器への電流を削減し、外部からの設定信号により削減した電流を一時的に元に戻す処理を実行する手順とを備えることを特徴とするバッテリー持続手順をコンピュータで実行するプログラムを提供する。
【００１９】
さらに、本発明は、バッテリーの持続時間を延長させるバッテリー持続手順をコンピュータで実行するプログラムにおいて、バッテリーから表示装置の照光器に電力を供給する処理を実行する手順と、バッテリーから入力装置のキー照明器に電力を供給する処理を実行する手順と、前記バッテリーの残量を検出し残量に応じた電流切替信号を出力する処理を実行する手順と、前記電流切替信号で前記バッテリーの残量が少なくなったと判断した場合には前記照光器への電流を削減し、外部からの設定信号により削減した電流を一時的に元に戻す処理を実行する手順と、前記電流切替信号で前記バッテリーの残量が少なくなったと判断した場合には前記キー照明器への電流を削減し、外部からの設定信号により削減した電流を一時的に元に戻す処理を実行する手順とを備えることを特徴とするバッテリー持続手順をコンピュータで実行するプログラムを提供する。
【００２０】
さらに、本発明は、持続時間を延長するバッテリーを有する携帯型端末において、バッテリーにより電力を供給される表示装置の照光器と、前記バッテリーの残量を検出し残量に応じた電流切替信号を出力する残量検出器と、前記残量検出器からの電流切替信号で前記バッテリーの残量が少なくなったと判断した場合には前記照光器への電流を削減し、外部からの設定信号により削減した電流を一時的に元に戻す照光器コントローラとを備えることを特徴とする携帯型端末を提供する。
【００２１】
さらに、本発明は、持続時間を延長するバッテリーを有する携帯型端末において、バッテリーにより電力を供給される入力装置のキー照明器と、前記バッテリーの残量を検出し残量に応じた電流切替信号を出力する残量検出器と、前記残量検出器からの電流切替信号で前記バッテリーの残量が少なくなったと判断した場合には前記キー照明器への電流を削減し、外部からの設定信号により削減した電流を一時的に元に戻す照光器コントローラとを備えることを特徴とする携帯型端末を提供する。
【００２２】
さらに、持続時間を延長するバッテリーを有する携帯型端末において、バッテリーにより電力を供給される表示装置の照光器と、バッテリーにより電力を供給される入力装置のキー照明器と、前記バッテリーの残量を検出し残量に応じた電流切替信号を出力する残量検出器と、前記残量検出器からの電流切替信号で前記バッテリーの残量が少なくなったと判断した場合には前記照光器への電流を削減し、外部からの設定信号により削減した電流を一時的に元に戻す照光器コントローラと、前記残量検出器からの電流切替信号で前記バッテリーの残量が少なくなったと判断した場合には前記キー照明器への電流を削減し、外部からの設定信号により削減した電流を一時的に元に戻す照光器コントローラとを備えることを特徴とする携帯型端末を提供する。
【発明の効果】
【００２３】
以上説明したように、本発明によれば、バッテリーから表示装置の照光器に電力を供給し、バッテリーの残量を検出し残量に応じた電流切替信号を出力し、残量検出器からの電流切替信号でバッテリーの残量が少なくなったと判断した場合には照光器への電流を削減し、外部からの設定信号により削減した電流を一時的に元に戻すようにしたので、バッテリーの残量が減少した場合、照光器に流れる電流の大きさは最大電流の、例えば、５０％になるが、照光器に流す電流を減らしたため、昼間に使用者が表示装置の表示が見にくいと感じた場合には入力装置から照光器の使用者設定信号で、一時的に照光器に流れる電流の大きさを最大電流にする。これにより、バッテリーの持続時間を延長でき、不意の通話、通信の使用が可能になり、さらに、バッテリーの持続時間を延長するだけでなく、視認性を確保することが可能になる。すなわち、バッテリー持続時間を優先させたい場合と明るさを優先させたい場合とで、使用者の目的に合わせることが可能になる。
【００２４】
さらに、バッテリーから入力装置のキー照明器に電力を供給し、バッテリーの残量を検出し残量に応じた電流切替信号を出力し、残量検出器からの電流切替信号でバッテリーの残量が少なくなったと判断した場合にはキー照明器への電流を削減し、外部からの設定信号により削減した電流を一時的に元に戻すようにしたので、バッテリーの残量が減少した場合、キー照明器に流れる電流の大きさはゼロになるが、例えば、キー照明器に流す電流をゼロにしたため、夜間に使用者が入力装置が見にくく操作がしにくいと感じた場合には入力装置からキー照明器の使用者設定信号で、一時的にキー照明器に流れる電流の大きさを最大電流にする。これにより、バッテリーの持続時間を延長でき、不意の通話、通信の使用が可能になり、さらに、バッテリーの持続時間を延長するだけでなく、入力装置の視認性、操作性を確保することが可能になる。すなわち、バッテリー持続時間を優先させたい場合と明るさを優先させたい場合とで、使用者の目的に合わせることが可能になる。
【発明を実施するための最良の形態】
【００２５】
以下、本発明の実施の形態について図面を参照して説明する。
図１は本発明に係る携帯型端末のバッテリー持続装置の概略構成を示すブロック図である。なお、全図を通して同一の構成要素には同一の番号、符号を付す。
本図に示すように、携帯型端末のバッテリー持続装置１００はバッテリー１０１、残量検出器１０２、照光器コントローラ１０３、照光器１０４から構成され、バッテリーの持続時間の延長をプログラム制御により行う。
【００２６】
ここに、バッテリー１０１は、例えば、リチウムイオン電池、ニッケルカドミウム電池、あるいはニッケル水素電池を含むバッテリーであり、携帯型端末（図示しない）の電力源である。
残量検出器１０２は、バッテリー１０１の残量を検出し、その残量に応じた電流切替信号を出力する。
【００２７】
照光器コントローラ１０３は、バッテリー１０１から携帯端末の表示装置（図示せず）の照光器１０４に供給される電力を制御し、残量検出器１０２からの電流切替信号のレベルにより照光器１０４に出力する電流値を選択する電流切替機能を有する。
照光器１０４は、照光器コントローラ１０３が出力する電流により駆動され、携帯型端末の表示装置を照らす。ここで、表示装置は一例としてＬＣＤ（液晶表示器）である。
【００２８】
なお、照光器コントローラ１０３は、入力装置（図示せず）の特定キーから使用者設定信号を入力することにより、バッテリー１０１の残量による照光器１０４への電流切替機能を使用者がオン又はオフできるようにしてある。
図２は図１のバッテリー１０１の残量特性例と切り替え特性例を示す図である。本図に示すように、バッテリー１０１では、携帯型端末の照光器１０４に流れる電流の大きさが最大として、バッテリー１０１の残量が使用時間と共に減少し、例えば、バッテリー１０１の残量が３０％になったら、照光器１０４に流れる電流が最大電流の５０％に切り替えられ、バッテリー１０１の残量の減少傾向が小さくなり、バッテリー１０１の持続時間が延長される。
【００２９】
入力装置から照光器１０４の使用者設定信号の入力で照光器１０４への電流切替機能を使用者がオフにすると、一時的に照光器１０４に流れる電流の大きさが５０％から最大電流になる。
図３は図１のバッテリー１０１の残量に応じた照光器１０４に流れる電流の大きさの例を説明する図である。
【００３０】
本図（ａ）には、バッテリー１０１の残量に応じて照光器１０４に供給される電流値が示される。バッテリー１０１の残量が１００％〜３０％の場合には残量検出器１０２は電流切替信号を高（Ｈｉｇｈ）レベルとして出力する。
また、バッテリー１０１の残量が３０％未満の場合は、残量検出器１０２は電流切替信号を低（Ｌｏｗ）レベルとして出力する。
【００３１】
照光器コントローラ１０３は、電流切替信号がＨｉｇｈレベルであれば最大電流を出力し、電流切替信号がＬｏｗレベルであれば最大電流の５０％を出力する。
照光器１０４は、照光器コントローラ１０３の出力する電流により駆動される。
つまり、バッテリー１０１の残量が１００％〜３０％の場合は照光器１０４に最大電流が流れ、バッテリー１０１の残量が３０％未満の場合は照光器１０４に最大電流の５０％の電流が流れる。
【００３２】
本図（ｂ）に示すように、照光器コントローラ１０３では、通常、使用者設定信号がＨｉｇｈレベルであり、本図（ａ）に示すバッテリー残量による電流切替機能の使用がオンになっており、使用者が使用者設定信号をＬｏｗレベルとすればバッテリー残量による電流切替機能の使用がオフになる。これにより、一時的に照光器１０４に流れる電流の大きさを最大電流にすることが可能になる。
【００３３】
図４は図１におけるバッテリー持続装置の動作例を説明するフローチャートである。本図に示すように、ステップ１２１において、残量検出器１０２ではバッテリー１０１の残量を検出する。
ステップ１２２において、照光器コントローラ１０３では残量検出器１０２からの電流切替信号がＨｉｇｈレベルであるか否かを判断する。電流切替信号がＬｏｗレベルである場合にはステップ１２４に進む。
【００３４】
ステップ１２３において、残量検出器１０２からの電流切替信号がＨｉｇｈレベルである場合には照光器１０４に流れる電流の大きさを最大電流にしたままにし、電流の大きさを切り替えず、処理を終了する。
ステップ１２４において、照光器コントローラ１０３では、照光器１０４の使用者設定信号がＨｉｇｈレベルであるか否かを判断する。
【００３５】
ステップ１２５において、照光器１０４の使用者設定信号がＨｉｇｈレベルであり、バッテリー１０１の残量切り替え機能を使用する場合には照光器１０４に流れる電流の大きさを最大電流の５０％に切り替え処理を終了する。
ステップ１２６において、照光器１０４の使用者設定信号がＬｏｗレベルであり、バッテリー１０１の残量切り替え機能を使用しない場合には、残量検出器１０２からの電流切替信号がＬｏｗレベルであり、照光器１０４に流れる電流の大きさを最大電流の５０％に切り替えていても、図２に示すように、照光器１０４の使用者設定信号がＬｏｗレベルとなり、バッテリー１０１の残量切り替え機能を使用しない場合には照光器１０４に流れる電流の大きさを最大電流に戻し、ステップ１２４に戻り、照光器１０４の使用者設定信号がＨｉｇｈレベルになるのを待つ。
【００３６】
したがって、本発明によれば、バッテリー１０１の残量が減少した場合、照光器１０４に流れる電流の大きさは最大電流の５０％になるが、例えば、照光器１０４に流す電流を減らしたため、昼間に使用者が表示装置の表示が見にくいと感じた場合には入力装置から照光器１０４の使用者設定信号をＬｏｗレベルにして出力するようにし、一時的に照光器１０４に流れる電流の大きさを最大電流にする。これにより、バッテリー１０１のバッテリーの持続時間を延長でき、不意の通話、通信の使用が可能になり、さらに、バッテリー１０１のバッテリーの持続時間を延長するだけでなく、視認性を確保することが可能になる。すなわち、バッテリー持続時間を優先させたい場合と明るさを優先させたい場合とで、使用者の目的に合わせることが可能になる。
【実施例１】
【００３７】
図５は図１における第１の変形例であり、バッテリー持続装置の概略構成を示すブロック図である。
本図に示すように、図１と比較して、バッテリー持続装置１００には、照光器コントローラ１０３、照光器１０４に代わり、キー照明器コントローラ１０５、キー照明器１０６が設けられる。
【００３８】
キー照明器コントローラ１０５は、バッテリー１０１から入力装置（図示せず）のキー照明器１０６に供給される電力を制御し、残量検出器１０２からの残量検出器１０２からの電流切替信号のレベルによりキー照明器１０６に出力する電流値を選択する電流切替機能を有する。
キー照明器１０６は、キー照明器コントローラ１０５が出力する電流により駆動され、携帯型端末の入力装置を照らす。ここで、キー照明器１０６は一例としてＬＥＤ（発光ダイオード）である。
【００３９】
なお、キー照明器コントローラ１０５には入力装置の特定キーから使用者設定信号を入力することにより、バッテリー１０１の残量によるキー照明器１０６への電流切替機能を使用者がオン又はオフできるようにしてある。
図６は図５のバッテリー１０１の残量特性例と切り替え特性例を示す図である。本図に示すように、バッテリー１０１では、携帯型端末のキー照明器１０６に流れる電流の大きさが最大として、バッテリー１０１の残量が使用時間と共に減少し、例えば、バッテリー１０１の残量が３０％になったら、キー照明器１０６に流れる電流がゼロに切り替えられ、バッテリー１０１の残量の減少傾向が小さくなり、バッテリー１０１の持続時間が延長される。
【００４０】
入力装置から照光器１０４の使用者設定信号の入力でキー照明器１０６への電流切替機能を使用者がオフにすると、一時的にキー照明器１０６に流れる電流の大きさがゼロから最大電流になる。
図７は図５のバッテリー１０１の残量に応じたキー照明器１０６に流れる電流の大きさを説明する図である。
【００４１】
本図（ａ）には、バッテリー１０１の残量に応じてキー照明器１０６に供給される電流値が示される。バッテリー１０１の残量が１００％〜３０％の場合には残量検出器１０２は電流切替信号を高（Ｈｉｇｈ）レベルとして出力する。
また、バッテリー１０１の残量が３０％未満の場合は、残量検出器１０２は電流切替信号を低（Ｌｏｗ）レベルとして出力する。
【００４２】
キー照明器１０６には、電流切替信号がＨｉｇｈレベルであれば最大電流を出力し、電流切替信号がＬｏｗレベルであればゼロを出力、つまりオフする。
キー照明器１０６は、キー照明器コントローラ１０５の出力する電流により駆動される。
つまり、バッテリー１０１の残量が１００％〜３０％の場合はキー照明器１０６に最大電流が流れ、バッテリー１０１の残量が３０％未満の場合はキー照明器１０６をオフにする。
【００４３】
本図（ｂ）に示すように、キー照明器コントローラ１０５では、通常、使用者設定信号がＨｉｇｈレベルであり、本図（ａ）に示すバッテリー残量による電流切替機能の使用がオンになっており、使用者設定信号がＬｏｗレベルとすればバッテリー残量による電流切替機能の使用がオフになる。これにより、一時的にキー照明器１０６に流れる電流の大きさを最大電流にすることが可能になる。
【００４４】
図８は図５におけるバッテリー持続装置の動作例を説明するフローチャートである。本図に示すように、ステップ１３１において、残量検出器１０２ではバッテリー１０１の残量を検出する。
ステップ１３２において、キー照明器コントローラ１０５では残量検出器１０２からの電流切替信号がＨｉｇｈレベルであるか否かを判断する。電流切替信号がＬｏｗレベルである場合にはステップ１３４に進む。
【００４５】
ステップ１３３において、残量検出器１０２からの電流切替信号がＨｉｇｈレベルである場合にはキー照明器１０６に流れる電流の大きさを最大電流にしたままにし、電流の大きさを切り替えず、処理を終了する。
ステップ１３４において、キー照明器コントローラ１０５では、キー照明器１０６の使用者設定信号がＨｉｇｈレベルであるか否かを判断する。
【００４６】
ステップ１３５において、キー照明器１０６の使用者設定信号がＨｉｇｈレベルであり、バッテリー１０１の残量切り替え機能を使用する場合にはキー照明器１０６に流れる電流の大きさをゼロに切り替え処理を終了する。
ステップ１３６において、キー照明器１０６の使用者設定信号がＬｏｗレベルであり、バッテリー１０１の残量切り替え機能を使用しない場合には残量検出器１０２からの電流切替信号がＬｏｗレベルであり、キー照明器１０６に流れる電流の大きさをゼロに切り替えていても、図６に示すように、キー照明器１０６の使用者設定信号がＬｏｗレベルとなり、バッテリー１０１の残量切り替え機能を使用しない場合にはキー照明器１０６に流れる電流の大きさが最大電流に戻り、ステップ１３４に戻り、キー照明器１０６の使用者設定信号がＨｉｇｈレベルになるのを待つ。
【００４７】
したがって、本発明によれば、バッテリー１０１の残量が減少した場合、キー照明器１０６に流れる電流の大きさはゼロになるが、例えば、キー照明器１０６に流す電流をゼロにしたため、夜間に使用者が入力装置が見にくく操作がしにくいと感じた場合には入力装置からキー照明器１０６の使用者設定信号をＬｏｗレベルにして出力するようにし、一時的にキー照明器１０６に流れる電流の大きさを最大電流にする。
【００４８】
これにより、バッテリー１０１のバッテリーの持続時間を延長でき、不意の通話、通信の使用が可能になり、さらに、バッテリー１０１のバッテリーの持続時間を延長するだけでなく、入力装置の視認性、操作性を確保することが可能になる。
すなわち、バッテリー持続時間を優先させたい場合と明るさを優先させたい場合とで、使用者の目的に合わせることが可能になる。
【実施例２】
【００４９】
図９は図１における第２の変形例であり、バッテリー持続装置の概略構成を示すブロック図である。
本図に示すように、図１と比較して、バッテリー持続装置１００には、照光器コントローラ１０３、照光器１０４に加え、キー照明器コントローラ１０５、キー照明器１０６が設けられる。
【００５０】
なお、照光器コントローラ１０３、キー照明器コントローラ１０５には入力装置（図示せず）の特定キーから使用者設定信号を入力することにより、バッテリー１０１の残量による照光器１０４、キー照明器１０６への電流切替機能を使用者がオン又はオフできるようにしてある。
図１０は図９のバッテリー１０１の残量特性例と切り替え特性例を示す図である。本図に示すように、バッテリー１０１では、携帯型端末の照光器１０４、キー照明器１０６に流れる電流の大きさが最大として、バッテリー１０１の残量が使用時間と共に減少し、例えば、バッテリー１０１の残量が３０％になったら、照光器１０４に流れる電流が最大電流の５０％に切り替え、且つ、キー照明器１０６に流れる電流がゼロに切り替えられ、バッテリー１０１の残量の減少傾向が小さくなり、バッテリー１０１の持続時間が延長される。
【００５１】
入力装置から照光器１０４の使用者設定信号の入力で照光器１０４への電流切替機能を使用者がオフにすると、一時的に照光器１０４に流れる電流の大きさが５０％から最大電流になり、入力装置からキー照明器１０６の使用者設定信号の入力でキー照明器１０６への電流切替機能を使用者がオフにすると、一時的にキー照明器１０６に流れる電流の大きさがゼロから最大電流になる。
【００５２】
図１１は図９のバッテリー１０１の残量に応じた照光器１０４、キー照明器１０６に流れる電流の大きさを説明する図である。
本図（ａ）には、バッテリー１０１の残量に応じて照光器１０４、キー照明器１０６に供給される電流値が示される。バッテリー１０１の残量が１００％〜３０％の場合には残量検出器１０２は電流切替信号を高（Ｈｉｇｈ）レベルとして出力する。
【００５３】
また、バッテリー１０１の残量が３０％未満の場合は、残量検出器１０２は電流切替信号を低（Ｌｏｗ）レベルとして出力する。
照光器コントローラ１０３は、電流切替信号がＨｉｇｈレベルであれば最大電流を出力し、電流切替信号がＬｏｗレベルであれば最大電流の５０％を出力する。
キー照明器コントローラ１０５は、電流切替信号がＨｉｇｈレベルであれば最大電流を出力し、電流切替信号がＬｏｗレベルであればゼロを出力する。
【００５４】
照光器１０４は、照光器コントローラ１０３の出力する電流により駆動される。
つまり、バッテリー１０１の残量が１００％〜３０％の場合は照光器１０４に最大電流が流れ、バッテリー１０１の残量が３０％未満の場合は照光器１０４に最大電流の５０％の電流が流れる。
キー照明器１０６は、キー照明器コントローラ１０５の出力する電流により駆動される。
【００５５】
つまり、バッテリー１０１の残量が１００％〜３０％の場合はキー照明器１０６に最大電流が流れ、バッテリー１０１の残量が３０％未満の場合はキー照明器１０６への電流がゼロとなる。
本図（ｂ）に示すように、照光器コントローラ１０３、キー照明器コントローラ１０５の各々では、通常、使用者設定信号がＨｉｇｈレベルであり、本図（ａ）に示すバッテリー残量による電流切替機能の使用がオンになっており、使用者設定信号がＬｏｗレベルとすればバッテリー残量による電流切替機能の使用がオフになる。これにより、一時的に照光器１０４、キー照明器１０６に流れる電流の大きさを最大電流にすることが可能になる。
【００５６】
図１２は図９におけるバッテリー持続装置の動作例を説明するフローチャートである。本図に示すように、ステップ１４１において、残量検出器１０２ではバッテリー１０１の残量を検出する。
ステップ１４２において、照光器コントローラ１０３では残量検出器１０２からの電流切替信号がＨｉｇｈレベルであるか否かを判断する。電流切替信号がＬｏｗレベルである場合にはステップ１４６に進む。
【００５７】
ステップ１４３において、残量検出器１０２からの電流切替信号がＨｉｇｈレベルである場合には照光器１０４に流れる電流の大きさを最大電流にしたままにし、電流の大きさを切り替えない。
ステップ１４４において、キー照明器コントローラ１０５では残量検出器１０２からの電流切替信号がＨｉｇｈレベルであるか否かを判断する。電流切替信号がＬｏｗレベルである場合にはステップ１４９に進む。
【００５８】
ステップ１４５において、残量検出器１０２からの電流切替信号がＨｉｇｈレベルである場合にはキー照明器１０６に流れる電流の大きさを最大電流にしたままにし、電流の大きさを切り替えず、処理を終了する。
ステップ１４６において、照光器コントローラ１０３では、照光器１０４の使用者設定信号がＨｉｇｈレベルであるか否かを判断する。
【００５９】
ステップ１４７において、照光器１０４の使用者設定信号がＨｉｇｈレベルであり、バッテリー１０１の残量切り替え機能を使用する場合には照光器１０４に流れる電流の大きさを最大電流の５０％に切り替え、ステップ１４４に進む。
ステップ１４８において、照光器１０４の使用者設定信号がＬｏｗレベルであり、バッテリー１０１の残量切り替え機能を使用しない場合には、残量検出器１０２からの電流切替信号がＬｏｗレベルであり、照光器１０４に流れる電流の大きさを最大電流の５０％に切り替えていても、図１０に示すように、照光器１０４の使用者設定信号がＬｏｗレベルとなり、バッテリー１０１の残量切り替え機能を使用しない場合には照光器１０４に流れる電流の大きさが最大電流に戻り、ステップ１４６に戻り、照光器１０４の使用者設定信号がＨｉｇｈレベルになるのを待つ。
【００６０】
ステップ１４９において、キー照明器コントローラ１０５では、キー照明器１０６の使用者設定信号がＨｉｇｈレベルであるか否かを判断する。
ステップ１５０において、キー照明器１０６の使用者設定信号がＨｉｇｈレベルであり、バッテリー１０１の残量切り替え機能を使用する場合にはキー照明器１０６に流れる電流の大きさをゼロに切り替え処理を終了する。
【００６１】
ステップ１５１において、キー照明器１０６の使用者設定信号がＬｏｗレベルであり、バッテリー１０１の残量切り替え機能を使用しない場合には残量検出器１０２からの電流切替信号がＬｏｗレベルであり、キー照明器１０６に流れる電流の大きさをゼロに切り替えていても、図１０に示すように、キー照明器１０６の使用者設定信号がＬｏｗレベルとなり、バッテリー１０１の残量切り替え機能を使用しない場合にはキー照明器１０６に流れる電流の大きさが最大電流に戻り、ステップ１４９に戻り、キー照明器１０６の使用者設定信号がＨｉｇｈレベルになるのを待つ。
【００６２】
したがって、本発明によれば、バッテリー１０１の残量が減少した場合、照光器コントローラ１０３に流れる電流の大きさを最大電流の５０％にし、キー照明器１０６に流れる電流の大きさはゼロにする。
他方、照光器１０４に流す電流を減らしたため、昼間に使用者が表示装置の表示が見にくいと感じた場合には入力装置から照光器１０４の使用者設定信号をＬｏｗレベルにして出力するようにし、一時的に照光器１０４に流れる電流の大きさを最大電流にする。
【００６３】
また、キー照明器１０６に流す電流をゼロにしたため、夜間に使用者が入力装置が見にくく操作がしにくいと感じた場合には入力装置からキー照明器１０６の使用者設定信号をＬｏｗレベルにして出力するようにし、一時的にキー照明器１０６に流れる電流の大きさを最大電流にする。
これにより、バッテリー１０１のバッテリーの持続時間を延長でき、不意の通話、通信の使用が可能になり、さらに、バッテリー１０１のバッテリーの持続時間を延長するだけでなく、表示部の視認性、入力装置の操作性を確保することが可能になる。
【００６４】
すなわち、バッテリー持続時間を優先させたい場合と明るさを優先させたい場合とで、使用者の目的に合わせることが可能になる。
【産業上の利用可能性】
【００６５】
以上、携帯電話機を含む携帯型端末について説明したが、これに限らず、ＰＤＡ（携帯情報端末）、ＰＨＳ（簡易携帯電話機）にも本発明は利用可能である。
【図面の簡単な説明】
【００６６】
【図１】本発明に係るバッテリー持続装置の概略構成を示すブロック図である。なお、全図を通して同一の構成要素には同一の番号、符号を付す。
【図２】図１のバッテリー１０１の残量特性例と切り替え特性例を示す図である。
【図３】図１のバッテリー１０１の残量に応じた照光器１０４に流れる電流の大きさの例を説明する図である。
【図４】図１におけるバッテリー持続装置の動作例を説明するフローチャートである。
【図５】図１における第１の変形例であり、バッテリー持続装置の概略構成を示すブロック図である。
【図６】図５のバッテリー１０１の残量特性例と切り替え特性例を示す図である。
【図７】図５のバッテリー１０１の残量に応じたキー照明器１０６に流れる電流の大きさを説明する図である。
【図８】図５におけるバッテリー持続装置の動作例を説明するフローチャートである。
【図９】図１における第２の変形例であり、バッテリー持続装置の概略構成を示すブロック図である。
【図１０】図９のバッテリー１０１の残量特性例と切り替え特性例を示す図である。
【図１１】図９のバッテリー１０１の残量に応じた照光器１０４、キー照明器１０６に流れる電流の大きさを説明する図である。
【図１２】図９におけるバッテリー持続装置の動作例を説明するフローチャートである。
【図１３】従来の電源電圧を監視する制御装置を示すブロック図である。
【符号の説明】
【００６７】
１００…バッテリー持続装置
１０１…バッテリー
１０２…残量検出器
１０３…照光器コントローラ
１０４…照光器
１０５…キー照明器コントローラ
２０１…バッテリー
２０７…制御装置
２０８…出力装置
２０９…外部記憶装置
【図１】
2006285651.tif 000003
【図２】
2006285651.tif 000004
【図３】
2006285651.tif 000005
【図４】
2006285651.tif 000006
【図５】
2006285651.tif 000007
【図６】
2006285651.tif 000008
【図７】
2006285651.tif 000009
【図８】
2006285651.tif 000010
【図９】
2006285651.tif 000011
【図１０】
2006285651.tif 000012
【図１１】
2006285651.tif 000013
【図１２】
2006285651.tif 000014
【図１３】
2006285651.tif 000015